(57)【要約】【課題】テレメータシステムを小型化し、部品点数も削減し、接続工事等を簡単にし、システムの信頼性向上、生産性向上及びコスト低減を図る。【解決手段】テレメータシステムと、このシステムへの入出力機能を備えた測定器との間でデータの授受を行うにあたって、測定器に測定データを蓄積し、蓄積したデータをネットワークを介してテレメータシステムに送信する。測定器は、蓄積した測定データの分析データを送信してもよく、テレメータシステムは、測定器に、このシステムの時刻データ、及び該測定器に対する設定値データを送信することができる。測定器は、前記蓄積した測定データ又は／及び分析データをテレメータシステムからの要求指令により送信してもよい。測定器は、前記蓄積した測定データを、現在値データ、Ｎ秒値毎のデータ、Ｎ分値毎のデータ、一時間毎のデータに分けて蓄積することができる。【選択図】図２
2008027255.tif 000002
【特許請求の範囲】
【請求項１】
テレメータシステムと、該テレメータシステムへの入出力機能を備えた測定器との間でデータの授受を行うにあたって、
前記測定器に測定データを蓄積し、
該蓄積したデータをネットワークを介して前記テレメータシステムに送信することを特徴とするテレメータシステムのデータ送受信方法。
【請求項２】
前記測定器は、前記蓄積した測定データの分析データを前記テレメータシステムに送信することを特徴とする請求項１に記載のテレメータシステムのデータ送受信方法。
【請求項３】
前記テレメータシステムは、前記測定器に、該テレメータシステムの時刻データ、及び該測定器に対する設定値データを送信することを特徴とする請求項１又は２に記載のテレメータシステムのデータ送受信方法。
【請求項４】
前記測定器は、前記蓄積した測定データ又は／及び前記分析データを、前記テレメータシステムからの要求指令により送信することを特徴とする請求項１、２又は３に記載のテレメータシステムのデータ送受信方法。
【請求項５】
前記測定器は、前記蓄積した測定データを、現在値データ、Ｎ秒値毎のデータ（Ｎは正の整数）、Ｎ分値毎のデータ（Ｎは正の整数）、一時間毎のデータに分けて蓄積することを特徴とする請求項１乃至４のいずれかに記載のテレメータシステムのデータ送受信方法。
【請求項６】
前記測定器は、前記測定データを工学値として蓄積することを特徴とする請求項１乃至５のいずれかに記載のテレメータシステムのデータ送受信方法。
【請求項７】
テレメータシステムと、該テレメータシステムへの入出力機能を備えた測定器との間でデータの授受を行うための制御プログラムであって、
前記測定器に測定データを蓄積するステップと、
該蓄積したデータをネットワークを介して前記テレメータシステムに送信するステップとを備えることを特徴とするテレメータシステムのデータ送受信制御プログラム。
【請求項８】
前記測定器が前記蓄積した測定データの分析データを前記テレメータシステムに送信するステップを備えることを特徴とする請求項７に記載のテレメータシステムのデータ送受信制御プログラム。
【請求項９】
前記テレメータシステムが前記測定器に、該テレメータシステムの時刻データ、及び該測定器に対する設定値データを送信するステップを備えることを特徴とする請求項７又は８に記載のテレメータシステムのデータ送受信制御プログラム。
【請求項１０】
前記測定器が前記蓄積した測定データ又は／及び前記分析データを、前記テレメータシステムからの要求指令により送信するステップを備えることを特徴とする請求項７、８又は９に記載のテレメータシステムのデータ送受信制御プログラム。
【請求項１１】
前記測定器が前記蓄積した測定データを、現在値データ、Ｎ秒値毎のデータ（Ｎは正の整数）、Ｎ分値毎のデータ（Ｎは正の整数）、一時間毎のデータに分けて蓄積するステップを備えることを特徴とする請求項７乃至１０のいずれかに記載のテレメータシステムのデータ送受信制御プログラム。
【請求項１２】
前記測定器が前記測定データを工学値として蓄積するステップを備えることを特徴とする請求項７乃至１１１のいずれかに記載のテレメータシステムのデータ送受信制御プログラム。
【請求項１３】
測定器とネットワークを介して接続されるテレメータシステムであって、
前記測定器に定時毎にデータ収集を行うように指示する時刻管理部と、
前記測定器に対する設定値を設定する操作部と、
前記時刻管理部及び前記操作部から受信したデータより、データ要求テキストを生成する送信テキスト生成部と、
該送信テキスト生成部からのデータ要求テキストを受信して前記測定器に送信し、前記測定器よりデータテキスト受信する通信処理部と、
該通信処理部から受信したデータテキストを分析し、所定の演算処理を行う演算処理部と、
該演算処理部からの処理データを蓄積するデータベースとを備えることを特徴とするテレメータシステム。
【請求項１４】
テレメータシステムとネットワークを介して接続される測定器であって、
該テレメータシステムからのデータ要求テキストを受信したときに、データテキストを該テレメータシステムに送信することを特徴とする測定器。
【発明の詳細な説明】
【技術分野】
【０００１】
本発明は、テレメータシステムのデータ送受信方法に関し、特に、測定器によって測定されたデータを取得し、処理するためのテレメータシステムにおける回線接続方法、通信手順、通信フォーマット等に関する。
【背景技術】
【０００２】
従来、測定器にて測定したデータをテレメータシステムへ出力したり、テレメータシステムから測定器へデータを出力するにあたって、測定器の設置場所にテレメータ装置を設置し、測定器からの出力である電圧値、電流値、パルス信号、監視信号や、テレメータシステムから測定器に対する出力情報を、信号毎に各々の専用インターフェースを介して受け渡していた（例えば、特許文献１参照）。
【０００３】
【特許文献１】特開２００３−２８１６７１号公報
【発明の開示】
【発明が解決しようとする課題】
【０００４】
上述した従来の方法では、特に複数の測定器と接続するテレメータ装置には、多くの専用インターフェースを備える必要があるため、装置が大型化するとともに、部品点数も多くなり、多くのケーブル接続作業、及び接続の確認作業が発生していた。
【０００５】
そこで、本発明は、上記従来のテレメータシステムにおける問題点に鑑みてなされたものであって、テレメータシステムを小型化し、部品点数も削減し、ケーブルの接続工事等を簡単に行うことができ、システムの信頼性向上、生産性向上及びコスト低減を図ることを目的とする。
【課題を解決するための手段】
【０００６】
上記目的を達成するため、本発明は、テレメータシステムのデータ送受信方法であって、テレメータシステムと、該テレメータシステムへの入出力機能を備えた測定器との間でデータの授受を行うにあたって、前記測定器に測定データを蓄積し、該蓄積したデータをネットワークを介して前記テレメータシステムに送信することを特徴とする。
【０００７】
そして、本発明によれば、測定器に蓄積した測定データをネットワークを介してテレメータシステムに送信するため、測定器とテレメータシステムを１本のネットワークケーブルで接続し、各信号をネットワークを流れるパケットの内容により区別することができ、従来、テレメータシステムと測定器との接続において信号毎に必要としていた各種インターフェースを削除することができ、テレメータシステムの部品点数の削減、小型化が可能となるとともに、信頼性及び生産性を向上させ、設備コスト及び運転コストを低減することができる。
【０００８】
前記テレメータシステムのデータ送受信方法において、前記測定器は、前記蓄積した測定データの分析データを前記テレメータシステムに送信することができる。
【０００９】
また、前記テレメータシステムのデータ送受信方法において、前記テレメータシステムは、前記測定器に、該テレメータシステムの時刻データ、及び該測定器に対する設定値データを送信することができる。
【００１０】
前記テレメータシステムのデータ送受信方法において、前記測定器は、前記蓄積した測定データ又は／及び前記分析データを、前記テレメータシステムからの要求指令により送信することができる。
【００１１】
さらに、前記テレメータシステムのデータ送受信方法において、前記測定器は、前記蓄積した測定データを、現在値データ、Ｎ秒値毎のデータ（Ｎは正の整数）、Ｎ分値毎のデータ（Ｎは正の整数）、一時間毎のデータに分けて蓄積することができる。
【００１２】
前記テレメータシステムのデータ送受信方法において、前記測定器は、前記測定データを工学値として蓄積することができ、所望のデータを迅速に表示することなどが可能となる。
【００１３】
また、本発明は、テレメータシステムと、該テレメータシステムへの入出力機能を備えた測定器との間でデータの授受を行うためのデータ送受信制御プログラムであって、前記測定器に測定データを蓄積するステップと、該蓄積したデータをネットワークを介して前記テレメータシステムに送信するステップとを備えることを特徴とする。
【００１４】
この制御プログラムを用いることにより、上述のように、測定器に蓄積した測定データをネットワークを介してテレメータシステムに送信することができるため、測定器とテレメータシステムを１本のネットワークケーブルで接続し、各信号をネットワークを流れるパケットの内容により区別することができ、従来、テレメータシステムと測定器との接続において信号毎に必要としていた各種インターフェースを削除することができ、テレメータシステムの部品点数の削減、小型化が可能となるとともに、信頼性及び生産性を向上させ、設備、運転コストを低減することができる。
【００１５】
前記テレメータシステムのデータ送受信制御プログラムにおいて、前記測定器が前記蓄積した測定データの分析データを前記テレメータシステムに送信するステップを備えることができる。
【００１６】
また、前記制御プログラムにおいて、テレメータシステムが前記測定器に、該テレメータシステムの時刻データ、及び該測定器に対する設定値データを送信するステップを備えることができる。
【００１７】
前記制御プログラムにおいて、前記測定器が前記蓄積した測定データ又は／及び前記分析データを、前記テレメータシステムからの要求指令により送信するステップを備えることができる。
【００１８】
さらに、前記制御プログラムにおいて、前記測定器が前記蓄積した測定データを、現在値データ、Ｎ秒値毎のデータ（Ｎは正の整数）、Ｎ分値毎のデータ（Ｎは正の整数）、一時間毎のデータに分けて蓄積するステップを備えることができる。
【００１９】
前記制御プログラムにおいて、前記測定器が前記測定データを工学値として蓄積するステップを備えることができる。
【００２０】
また、本発明は、測定器とネットワークを介して接続されるテレメータシステムであって、前記測定器に定時毎にデータ収集を行うように指示する時刻管理部と、前記測定器に対する設定値を設定する操作部と、前記時刻管理部及び前記操作部から受信したデータより、データ要求テキストを生成する送信テキスト生成部と、該送信テキスト生成部からのデータ要求テキストを受信して前記測定器に送信し、前記測定器よりデータテキスト受信する通信処理部と、該通信処理部から受信したデータテキストを分析し、所定の演算処理を行う演算処理部と、該演算処理部からの処理データを蓄積するデータベースとを備えることを特徴とする。
【００２１】
このテレメータシステムによれば、測定器に蓄積した測定データをネットワークを介して受信するため、測定器と１本のネットワークケーブルで接続することができ、従来、テレメータシステムと測定器との接続において信号毎に必要としていた各種インターフェースを削除することができ、テレメータシステムの部品点数の削減、小型化が可能となるとともに、信頼性及び生産性を向上させ、設備、運転コストを低減することができる。
【００２２】
さらに、本発明は、テレメータシステムとネットワークを介して接続される測定器であって、該テレメータシステムからのデータ要求テキストを受信したときに、データテキストを該テレメータシステムに送信することを特徴とする。
【００２３】
この測定器は、ネットワークを介してテレメータシステムと接続され、テレメータシステムから要求に応じて測定データをテレメータシステムに送信することができるため、従来、テレメータシステムと測定器との接続において信号毎に必要としていた各種インターフェースが不要となり、テレメータシステムの部品点数の削減、小型化が可能となり、システムの信頼性及び生産性の向上、及び設備、運転コストの低減に寄与することができる。
【発明の効果】
【００２４】
以上のように、本発明にかかるテレメータシステムのデータ送受信方法によれば、テレメータシステムを小型化し、部品点数も削減し、接続工事等を簡単に行うことを可能とし、システムの信頼性向上、生産性向上、及び設備、運転コストの低減を図ることができる。
【発明を実施するための最良の形態】
【００２５】
次に、本発明の実施の形態について図面を参照しながら説明する。
【００２６】
図１は、本発明にかかるテレメータシステムとともに用いられる測定器の一実施の形態を示し、この測定器が収集・分析したデータは、各時間種別ファイル１〜４に蓄積される。
【００２７】
図２は、本発明にかかるテレメータシステムのデータ送受信方法を実施するためのシステムの構成例を示し、各測定器１０が設置された局舎にテレメータ装置１００を設置し、測定器１０、集線装置２０、ルータ３０、ＬＡＮ回線４０、ＷＡＮ回線５０、テレメータ装置１００、テレメータシステム１１０により構成され、測定器１０、テレメータ装置１００、テレメータシステム１１０は、プログラム制御により動作する。
【００２８】
測定器１０は、収集・分析したデータのデジタル化、蓄積、表示、記録等の機能を有し、ＬＡＮポートから集線装置２０を介してテレメータ装置１００又はテレメータシステム１１０と通信し、収集データ、監視情報の送信や、設定データ、制御情報等の受信を行う。
【００２９】
テレメータ装置１００は、各測定器１０の収集データ、監視情報の受信、蓄積、表示や、設定データ、制御情報を測定器に送信するとともに、監視センターのテレメータシステム１１０との通信を行う。
【００３０】
テレメータシステム１１０は、ルータ３０を介し、テレメータ装置１００又は測定器１０との通信を行い、データ収集、蓄積、演算、表示、記録等を行う。
【００３１】
また、図３は、本発明にかかるテレメータシステムのデータ送受信方法を実施するための他のシステムの構成例を示し、本実施の形態では、各測定器設置場所と監視センターとの間がＬＡＮで接続され、監視センターのテレメータシステム１１０から直接各測定器１０と通信可能であり、図２に示したテレメータ装置１００を廃止している。尚、本実施の形態の動作については、第１の実施の形態の動作と同様であるので詳細説明を省略する。
【００３２】
次に、本発明にかかるテレメータシステム１１０の動作について、図面を参照しながら説明する。
【００３３】
図１に示した測定器１０は、収集・分析したファイルを工学値として現在値ファイル１、蓄積Ｎ秒値（Ｎ秒毎のデータ）ファイル２、蓄積Ｎ分値（Ｎ分毎のデータファイル）３、蓄積１時間値（１時間毎のデータ）ファイル４に分類して蓄積し、図３のテレメータシステム１１０からの要求に対して該当するデータを返送する。尚、テレメータシステム１１０からの要求がなくても、測定器１０が能動的に収集したデータをテレメータシステムに送信する場合もこれらのファイルを使用する。
【００３４】
図４は、本発明にかかるテレメータシステム１１０の主制御部を示し、図５〜図８は、通信手順、図９は、測定器１０とテレメータ装置１００又はテレメータシステム１１０との間で通信を行うフォーマットを示す。
【００３５】
尚、図２及び図３のいずれの構成においても通信手順及び通信フォーマットはまったく同じにすることが可能であるため、図５〜図８の通信動作の説明は、図２の測定器１０とテレメータ装置１００との間で行う場合について記載する。
【００３６】
図２のテレメータ装置１００と測定器１０との通信においては、共通処理として通信処理部１５０で、まずコネクトテキスト９００（Ｓ１フォーマット）により通信のコネクション確立を行う。但し、コネクションの確立済みの場合は除く。尚、コネクトテキストの接続識別子、パスワードによる認証により簡易セキュリティを実施し、接続先からの応答情報ＡＣＫにより以後の通信を可能とする。コネクト中は、複数テキストの送受信が可能である。通信終了時には、ディスコネクトテキスト９１０（Ｓ２フォーマット）により通信のコネクションを解放する。尚、以下の記載ではコネクション及びディスコネクト処理の記載は除いて説明する。
【００３７】
図５は、測定器１０にて収集・分析したデータをテレメータ装置１００が収集する場合の通信手順を示す。
【００３８】
図４に示す時刻管理部１２０より、定時毎にデータ収集を行う指示が送信テキスト生成部１４０に出力される。送信テキスト生成部１４０は、図９に示すデータ要求テキスト（Ａ１フォーマット）を生成し、通信処理部１５０に送信する。データ要求テキスト（Ａ１フォーマット）のデータ種別にセットするコードにより、要求するデータ現在値、蓄積Ｎ秒値、蓄積Ｎ分値、蓄積１時間値を指定する。通信処理部１５０の送信部は、コネクション確立を確認し、データ要求テキスト２００（Ａ１フォーマット）を測定器１０に送信する。測定器１０は、テレメータ装置１００から受信したデータ要求テキスト２００（Ａ１フォーマット）に対して該当するデータを図９に示すデータテキスト（Ａ２フォーマット）にしてテレメータ装置１００に送信する。
【００３９】
図５に示すように、測定器１０よりデータテキスト２１０（Ａ２フォーマット）を通信処理部１５０の受信部で受信し、受信したデータテキスト２１０（Ａ２フォーマット）を演算処理部１６０に送信し、コネクションを解放する。演算処理部１６０では、受信したデータテキスト（Ａ２フォーマット）を分析し該当する演算処理を行った後、データベース１７０に蓄積する。
【００４０】
尚、測定器１０が能動的にデータテキスト２１０（Ａ２フォーマット）をテレメータ装置１００に転送する方法を図６に示す。この場合には、コネクション及びディスコネクションは、測定器１０側より行う。
【００４１】
次に、テレメータ装置より測定器に対する制御・設定動作について、図７を参照しながら説明する。
【００４２】
測定器１０に対する設定値の設定は、図４の操作部１３０より指定された設定値が送信テキスト生成部１４０に出力される。送信テキスト生成部１４０は、制御項目区分、設定値、制御区分を設定指示にした図９の制御テキスト（Ａ３フォーマット）を生成して通信処理部１５０に送信する。通信処理部１５０の送信部は、コネクション確立を確認し、制御テキスト３００（Ａ３フォーマット）を測定器１０に送信する。測定器１０は、テレメータ装置１００から受信した制御テキスト３００（Ａ３フォーマット）を確認後、制御区分を設定確認した制御テキスト３１０（Ａ３フォーマット）を、テレメータ装置１００に返信する。
【００４３】
テレメータ装置１００は、測定器１０より制御テキスト３１０（Ａ３フォーマット）の制御区分に設定確認を確認すると、制御区分を制御実行にした制御テキスト３２０（Ａ３フォーマット）を測定器１０に送信する。測定器１０は、テレメータ装置１００から制御区分を制御実行にした制御テキスト３２０（Ａ３フォーマット）を確認し、制御実行後、制御区分を制御完了にした制御テキスト３３０（Ａ３フォーマット）をテレメータ装置１００に返信する。テレメータ装置１００は、測定器１０からの制御完了を確認し、コネクションを解放する。
【００４４】
尚、テレメータ装置１００は、設定値の送信に対する確認を一定時間内に受信しなかった場合には、再度制御テキスト３００（Ａ３フォーマット）の送信を行い、測定器１０からの制御テキスト３１０（Ａ３フォーマット）を受信した場合のみ制御テキスト３２０（Ａ３フォーマット）を送信する。
【００４５】
また、測定器１０に対するＯＮ／ＯＦＦ制御だけの場合には、制御テキスト３２０（Ａ３フォーマット）の制御項目番号及び制御区分を設定指示にして送信する。
【００４６】
次に、テレメータ装置１００からの測定器１０に対する時刻設定動作について、図８を参照しながら説明する。
【００４７】
図４の時刻管理部１２０より定期的に時刻設定を行う指示が送信テキスト生成部１４０に出力される。送信テキスト生成部１４０は、図９の時刻設定テキスト（Ａ４フォーマット）を生成し、通信処理部１５０に送信する。
【００４８】
通信処理部１５０の送信部は、コネクション確立を確認し、時刻設定テキスト４００（Ａ４フォーマット）を測定器１０に送信する。測定器１０は、テレメータ装置１００から受信した時刻設定テキスト４００（Ａ４フォーマット）に設定されている時刻を内部時計に設定する。テレメータ装置１００は、時刻設定テキスト送信後にコネクションを解放する（ディスコネクションを行う）。
【図面の簡単な説明】
【００４９】
【図１】本発明にかかる測定器が備えるデータ蓄積ファイルの構成図である。
【図２】本発明にかかるテレメータシステムのデータ送受信方法を実施するためのシステムの第１の実施の形態の構成を示すブロック図である。
【図３】本発明にかかるテレメータシステムのデータ送受信方法を実施するためのシステムの第２の実施の形態の構成を示すブロック図である。
【図４】本発明にかかるテレメータシステムの主制御部を示す機能構成図である。
【図５】本発明にかかる測定器にて収集・分析したデータをテレメータ装置が収集する場合の通信手順を示す図である。
【図６】本発明にかかる測定器が能動的にテレメータシステムにデータを送信する場合の通信手順を示す図である。
【図７】本発明にかかるテレメータシステムの測定器への設定値登録通信手順を示す図である。
【図８】本発明にかかるテレメータシステムの測定器への時刻設定通信手順を示す図である。
【図９】本発明にかかるテレメータシステムの測定器との通信フォーマットを示す図である。
【符号の説明】
【００５０】
１  現在値ファイル
２  蓄積Ｎ秒値ファイル
３  蓄積Ｎ分値ファイル
４  蓄積１時間値ファイル
１０  測定器
２０  集線装置
３０  ルータ
４０  ＬＡＮ回線
５０  ＷＡＮ回線
１００  テレメータ装置
１１０  テレメータシステム
１２０  時刻管理部
１３０  操作部
１４０  送信テキスト生成部
１５０  通信処理部
１６０  演算処理部
１７０  データベース
【図１】
2008027255.tif 000003
【図２】
2008027255.tif 000004
【図３】
2008027255.tif 000005
【図４】
2008027255.tif 000006
【図５】
2008027255.tif 000007
【図６】
2008027255.tif 000008
【図７】
2008027255.tif 000009
【図８】
2008027255.tif 000010
【図９】
2008027255.tif 000011